【手続補正書】
【提出日】平成28年12月29日(2016.12.29)
【手続補正１】
【補正対象書類名】特許請求の範囲
【補正対象項目名】全文
【補正方法】変更
【補正の内容】
【特許請求の範囲】
【請求項１】
少なくとも１種の式（１）の染料
【化１】
2016513140.tif 000001
及び
少なくとも１種の式（２）の染料
【化２】
2016513140.tif 000002
及び、任意選択で、
式（３）、（４）、（５ａ）、及び（５ｂ）の染料からなる群より選択される１種又は複数種の染料
【化３】
2016513140.tif 000003
［式中、それぞれ互いに独立して
Ｒ１が、水素、（Ｃ１〜Ｃ４）−アルキル、又はハロゲンであり、
Ｒ２が、水素、又は（Ｃ１〜Ｃ４）−アルキルであり、
Ｒ３〜Ｒ６が、（Ｃ１〜Ｃ４）−アルキル、（ＣＨ２）ｎ−Ｏ−（Ｃ１〜Ｃ４）−アルキル、（ＣＨ２）ｎ−Ｏ−ＣＯ−（Ｃ１〜Ｃ４）−アルキル、（ＣＨ２）ｎ−ＣＯＯ−（Ｃ１〜Ｃ４）−アルキル、（ＣＨ２）ｎ−フェニル、又は（ＣＨ２）ｎ−ＣＯＯ（ＣＨ２）ｍ−ＣＯ−（Ｃ１〜Ｃ４）−アルキルであり、
Ｘ１〜Ｘ８が、水素、ハロゲン、ニトロ、シアノ、ＳＣＮ、カルボキシ、又はＣＯ−ＮＲ２Ｒ３であり、
Ｙ１が、水素、（Ｃ１〜Ｃ４）−アルキル、置換された（Ｃ１〜Ｃ４）−アルキル、（Ｃ２〜Ｃ４）−アルケニル、又は（ＣＨ２）ｍ−フェニルであり、
Ｙ２が、いずれもＹ６により置換された、フェニル、又は（ＣＨ２）ｍ−フェニルであり、
Ｙ３が、水素、又は（Ｃ１〜Ｃ４）−アルキルであり、
Ｙ４が、（Ｃ１〜Ｃ８）−アルキル、又は（ＣＨ２）ｍ−フェニルであり、
Ｙ５が、水素、（Ｃ１〜Ｃ４）−アルキル、又は（Ｃ１〜Ｃ４）−アルコキシであり、
Ｙ６が、水素、ニトロ、シアノ、カルボキシ、（Ｃ１〜Ｃ４）−アルキル、又は（Ｃ１〜Ｃ４）−アルコキシであり、
ｎ及びｍが、１、２、３、又は４である］
を含む、染料混合物。
【請求項２】
それぞれが互いに独立して、
Ｒ１が、水素、又は（Ｃ１〜Ｃ２）−アルキルであり、
Ｒ２が、（Ｃ１〜Ｃ２）−アルキルであり、
Ｒ３〜Ｒ６が、（Ｃ１〜Ｃ２）−アルキル、（ＣＨ２）ｎ−フェニル、（ＣＨ２）ｎ−ＣＯＯ−（Ｃ１〜Ｃ２）−アルキル、又は（ＣＨ２）ｎ−ＣＯＯ（ＣＨ２）ｍ−ＣＯ−（Ｃ１〜Ｃ２）−アルキルであり、
Ｘ１及びＸ２が、水素、ブロモ、クロロ、ニトロ、又はシアノであり、
Ｘ３及びＸ７が、ニトロ、又はシアノであり、
Ｘ４が、水素、ニトロ、又はシアノであり、
Ｘ５及びＸ６が、水素、ブロモ、クロロ、ニトロ、又はシアノであり、
Ｘ８が、水素、ニトロ、又はシアノであり、
Ｙ１が、（Ｃ１〜Ｃ４）−アルキル、又は（ＣＨ２）ｍ−フェニルであり、
Ｙ２が、フェニル、又は（ＣＨ２）ｍ−フェニルであり、
Ｙ３が、水素、又は（Ｃ１〜Ｃ２）−アルキルであり、
Ｙ４が、（Ｃ１〜Ｃ８）−アルキル、又は（ＣＨ２）ｍ−フェニルであり、
Ｙ５が、水素、（Ｃ１〜Ｃ２）−アルキル、又は（Ｃ１〜Ｃ２）−アルコキシであり、
ｎ及びｍが、１又は２である、
請求項１に記載の染料混合物。
【請求項３】
それぞれが互いに独立して、
Ｒ１が、水素、又はメチルであり、
Ｒ２が、メチル、又はエチルであり、
Ｒ３〜Ｒ６が、（Ｃ１〜Ｃ２）−アルキル、（ＣＨ２）ｎ−フェニル、（ＣＨ２）ｎ−ＣＯＯ−（Ｃ１〜Ｃ２）−アルキル、又は（ＣＨ２）ｎ−ＣＯＯ（ＣＨ２）ｍ−ＣＯ−（Ｃ１〜Ｃ２）−アルキルであり、
Ｘ１及びＸ２が、水素、ブロモ、クロロ、ニトロ、又はシアノであり、
Ｘ３、Ｘ４、及びＸ７が、ニトロであり、
Ｘ５及びＸ６が、水素、ブロモ、クロロ、ニトロ、又はシアノであり、
Ｘ８が、水素であり、
Ｙ１及びＹ２が、（ＣＨ２）ｍ−フェニルであり、
Ｙ３が、水素、又はメチルであり、
Ｙ４が、（Ｃ１〜Ｃ８）−アルキル、又は（ＣＨ２）ｍ−フェニルであり、
Ｙ５が、水素、Ｏ−メチル、又はＯ−エチルであり、
ｎ及びｍが、１又は２である、
請求項１又は２に記載の染料混合物。
【請求項４】
それぞれが互いに独立して、
Ｒ１が、水素であり、
Ｒ２が、メチル、又はエチルであり、
Ｒ３〜Ｒ６が、（Ｃ１〜Ｃ２）−アルキル、（ＣＨ２）ｎ−フェニル、（ＣＨ２）ｎ−ＣＯＯ−（Ｃ１〜Ｃ２）−アルキル、又は（ＣＨ２）ｎ−ＣＯＯ（ＣＨ２）ｍ−ＣＯ−（Ｃ１〜Ｃ２）−アルキルであり、
Ｘ１及びＸ２が、水素、ブロモ、クロロ、ニトロ、又はシアノであり、
Ｘ３、Ｘ４、及びＸ７が、ニトロであり、
Ｘ５及びＸ６が、水素、ブロモ、クロロ、ニトロ、又はシアノであり、
Ｘ８が、水素であり、
Ｙ１及びＹ２が、（ＣＨ２）ｍ−フェニルであり、
Ｙ３が、水素であり、
Ｙ４が、（Ｃ１〜Ｃ４）−アルキルであり、
Ｙ５が、水素、又はＯ−メチルであり、
ｎ及びｍが、１又は２である、
請求項１〜３のいずれか一項に記載の染料混合物。
【請求項５】
式（３）、（４）、（５ａ）、及び（５ｂ）の染料からなる群より選択される少なくとも１種の染料を含む、請求項１〜４のいずれか一項に記載の染料混合物。
【請求項６】
少なくとも２種の式（３）の染料を含む、請求項１〜４のいずれか一項に記載の染料混合物。
【請求項７】
式（３）の少なくとも２種の染料、並びに式（４）、（５ａ）、及び（５ｂ）の染料からなる群より選択される少なくとも１種の染料を含む、請求項１〜４のいずれか一項に記載の染料混合物。
【請求項８】
式（３）及び（４）の染料からなる群より選択される少なくとも１種の染料
【化４】
2016513140.tif 000004
及び式（１）の少なくとも１種の染料
【化５】
2016513140.tif 000005
並びに任意選択で、式（２）、（５ａ）、及び（５ｂ）の染料からなる群より選択される１種又は複数種の染料
【化６】
2016513140.tif 000006
［式中、それぞれ互いに独立して
Ｒ１が、水素、（Ｃ１〜Ｃ４）−アルキル、又はハロゲンであり、
Ｒ２が、水素、又は（Ｃ１〜Ｃ４）−アルキルであり、
Ｒ３及びＲ４が、（Ｃ１〜Ｃ４）−アルキル、（ＣＨ２）ｎ−Ｏ−（Ｃ１〜Ｃ４）−アルキル、（ＣＨ２）ｎ−Ｏ−ＣＯ−（Ｃ１〜Ｃ４）−アルキル、（ＣＨ２）ｎ−ＣＯＯ−（Ｃ１〜Ｃ４）−アルキル、（ＣＨ２）ｎ−フェニル、又は（ＣＨ２）ｎ−ＣＯＯ（ＣＨ２）ｍ−ＣＯ−（Ｃ１〜Ｃ４）−アルキルであり、
Ｒ５及びＲ６が、（Ｃ１〜Ｃ４）−アルキル、（ＣＨ２）ｎ−Ｏ−ＣＯ−（Ｃ１〜Ｃ４）−アルキル、（ＣＨ２）ｎ−ＣＯＯ−（Ｃ１〜Ｃ４）−アルキル、（ＣＨ２）ｎ−フェニル、又は（ＣＨ２）ｎ−ＣＯＯ（ＣＨ２）ｍ−ＣＯ−（Ｃ１〜Ｃ４）−アルキルであり、
Ｘ１〜Ｘ８が、水素、ハロゲン、ニトロ、シアノ、ＳＣＮ、カルボキシ、又はＣＯ−ＮＲ２Ｒ３であり、
Ｙ１が、水素、（Ｃ１〜Ｃ４）−アルキル、置換された（Ｃ１〜Ｃ４）−アルキル、（Ｃ２〜Ｃ４）−アルケニル、又は（ＣＨ２）ｍ−フェニルであり、
Ｙ２が、いずれもＹ６により置換された、フェニル、又は（ＣＨ２）ｍ−フェニルであり、
Ｙ３が、水素、又は（Ｃ１〜Ｃ４）−アルキルであり、
Ｙ４が、（Ｃ１〜Ｃ８）−アルキル、又は（ＣＨ２）ｍ−フェニルであり、
Ｙ５が、水素、（Ｃ１〜Ｃ４）−アルキル、又は（Ｃ１〜Ｃ４）−アルコキシであり、
Ｙ６が、水素、ニトロ、シアノ、カルボキシ、（Ｃ１〜Ｃ４）−アルキル、又は（Ｃ１〜Ｃ４）−アルコキシであり、
ｎ及びｍが、１、２、３、又は４である］
を含む、染料混合物。
【請求項９】
それぞれが互いに独立して、
Ｒ１が、水素、又は（Ｃ１〜Ｃ２）−アルキルであり、
Ｒ２が、（Ｃ１〜Ｃ２）−アルキルであり、
Ｒ３〜Ｒ６が、（Ｃ１〜Ｃ２）−アルキル、（ＣＨ２）ｎ−フェニル、（ＣＨ２）ｎ−ＣＯＯ−（Ｃ１〜Ｃ２）−アルキル、又は（ＣＨ２）ｎ−ＣＯＯ（ＣＨ２）ｍ−ＣＯ−（Ｃ１〜Ｃ２）−アルキルであり、
Ｘ１及びＸ２が、水素、ブロモ、クロロ、ニトロ、又はシアノであり、
Ｘ３及びＸ７が、ニトロ、又はシアノであり、
Ｘ４が、水素、ニトロ、又はシアノであり、
Ｘ５及びＸ６が、水素、ブロモ、クロロ、ニトロ、又はシアノであり、
Ｘ８が、水素、ニトロ、又はシアノであり、
Ｙ１が、（Ｃ１〜Ｃ４）−アルキル、又は（ＣＨ２）ｍ−フェニルであり、
Ｙ２が、フェニル、又は（ＣＨ２）ｍ−フェニルであり、
Ｙ３が、水素、又は（Ｃ１〜Ｃ２）−アルキルであり、
Ｙ４が、（Ｃ１〜Ｃ８）−アルキル、又は（ＣＨ２）ｍ−フェニルであり、
Ｙ５が、水素、（Ｃ１〜Ｃ２）−アルキル、又は（Ｃ１〜Ｃ２）−アルコキシであり、
ｎ及びｍが、１又は２である、
請求項８に記載の染料混合物。
【請求項１０】
それぞれが互いに独立して、
Ｒ１が、水素、又はメチルであり、
Ｒ２が、メチル、又はエチルであり、
Ｒ３〜Ｒ６が、（Ｃ１〜Ｃ２）−アルキル、（ＣＨ２）ｎ−フェニル、（ＣＨ２）ｎ−ＣＯＯ−（Ｃ１〜Ｃ２）−アルキル、又は（ＣＨ２）ｎ−ＣＯＯ（ＣＨ２）ｍ−ＣＯ−（Ｃ１〜Ｃ２）−アルキルであり、
Ｘ１及びＸ２が、水素、ブロモ、クロロ、ニトロ、又はシアノであり、
Ｘ３、Ｘ４、及びＸ７が、ニトロであり、
Ｘ５及びＸ６が、水素、ブロモ、クロロ、ニトロ、又はシアノであり、
Ｘ８が、水素であり、
Ｙ１及びＹ２が、（ＣＨ２）ｍ−フェニルであり、
Ｙ３が、水素、又はメチルであり、
Ｙ４が、（Ｃ１〜Ｃ８）−アルキル、又は（ＣＨ２）ｍ−フェニルであり、
Ｙ５が、水素、Ｏ−メチル、又はＯ−エチルであり、
ｎ及びｍが、１又は２である、
請求項８又は９に記載の染料混合物。
【請求項１１】
それぞれが互いに独立して、
Ｒ１が、水素であり、
Ｒ２が、メチル、又はエチルであり、
Ｒ３〜Ｒ６が、（Ｃ１〜Ｃ２）−アルキル、（ＣＨ２）ｎ−フェニル、（ＣＨ２）ｎ−ＣＯＯ−（Ｃ１〜Ｃ２）−アルキル、又は（ＣＨ２）ｎ−ＣＯＯ（ＣＨ２）ｍ−ＣＯ−（Ｃ１〜Ｃ２）−アルキルであり、
Ｘ１及びＸ２が、水素、ブロモ、クロロ、ニトロ、又はシアノであり、
Ｘ３、Ｘ４、及びＸ７が、ニトロであり、
Ｘ５及びＸ６が、水素、ブロモ、クロロ、ニトロ、又はシアノであり、
Ｘ８が、水素であり、
Ｙ１及びＹ２が、（ＣＨ２）ｍ−フェニルであり、
Ｙ３が、水素であり、
Ｙ４が、（Ｃ１〜Ｃ４）−アルキルであり、
Ｙ５が、水素、又はＯ−メチルであり、
ｎ及びｍが、１又は２である、
請求項８〜１０のいずれか一項に記載の染料混合物。
【請求項１２】
少なくとも２種の式（３）の染料を含む、請求項８〜１１のいずれか一項に記載の染料混合物。
【請求項１３】
少なくとも１種の式（２）の染料を含む、請求項８〜１１のいずれか一項に記載の染料混合物。
【請求項１４】
式（４）及び（５ａ）の少なくとも一種の染料、又は式（４）及び（５ｂ）の少なくとも一種の染料を含む、請求項８〜１１のいずれか一項に記載の染料混合物。
【請求項１５】
少なくとも１種の式（１）の染料
【化７】
2016513140.tif 000007
及び、式（２）、（５ａ）、及び（５ｂ）の染料からなる群より選択される１種又は複数種の染料
【化８】
2016513140.tif 000008
［式中、それぞれ互いに独立して
Ｒ１が、水素、（Ｃ１〜Ｃ４）−アルキル、又はハロゲンであり、
Ｒ２が、水素、又は（Ｃ１〜Ｃ４）−アルキルであり、
Ｘ１〜Ｘ８が、水素、ハロゲン、ニトロ、シアノ、ＳＣＮ、カルボキシ、又はＣＯ−ＮＲ２Ｒ２であり、
Ｙ１が、水素、（Ｃ１〜Ｃ４）−アルキル、置換された（Ｃ１〜Ｃ４）−アルキル、（Ｃ２〜Ｃ４）−アルケニル、又は（ＣＨ２）ｍ−フェニルであり、
Ｙ２が、いずれもＹ６により置換された、フェニル、又は（ＣＨ２）ｍ−フェニルであり、
Ｙ３が、水素、又は（Ｃ１〜Ｃ４）−アルキルであり、
Ｙ４が、（Ｃ１〜Ｃ８）−アルキル、又は（ＣＨ２）ｍ−フェニルであり、
Ｙ６が、水素、ニトロ、シアノ、カルボキシ、（Ｃ１〜Ｃ４）−アルキル、又は（Ｃ１〜Ｃ４）−アルコキシであり、
ｎ及びｍが、１、２、３、又は４である］
を含む、染料混合物。
【請求項１６】
それぞれが互いに独立して、
Ｒ１が、水素、又は（Ｃ１〜Ｃ２）−アルキルであり、
Ｒ２が、（Ｃ１〜Ｃ２）−アルキルであり、
Ｘ１及びＸ２が、水素、ブロモ、クロロ、ニトロ、又はシアノであり、
Ｘ３が、ニトロ、又はシアノであり、
Ｘ４及びＸ８が、水素、ニトロ、又はシアノであり、
Ｙ１が、（Ｃ１〜Ｃ４）−アルキル、又は（ＣＨ２）ｍ−フェニルであり、
Ｙ２が、フェニル、又は（ＣＨ２）ｍ−フェニルであり、
Ｙ３が、水素、又は（Ｃ１〜Ｃ２）−アルキルであり、
Ｙ４が、（Ｃ１〜Ｃ８）−アルキルであり、
ｎ及びｍが、１又は２である、
請求項１５に記載の染料混合物。
【請求項１７】
それぞれが互いに独立して、
Ｒ１が、水素、又はメチルであり、
Ｒ２が、メチル、又はエチルであり、
Ｘ１及びＸ２が、水素、ブロモ、クロロ、ニトロ、又はシアノであり、
Ｘ３及びＸ４が、ニトロであり、
Ｘ８が、水素であり、
Ｙ１及びＹ２が、（ＣＨ２）ｍ−フェニルであり、
Ｙ３が、水素、又はメチルであり、
Ｙ４が、（Ｃ１〜Ｃ８）−アルキルであり、
ｎ及びｍが、１又は２である、
請求項１５又は１６に記載の染料混合物。
【請求項１８】
それぞれが互いに独立して、
Ｒ１が、水素であり、
Ｒ２が、メチル、又はエチルであり、
Ｘ１及びＸ２が、水素、ブロモ、クロロ、ニトロ、又はシアノであり、
Ｘ３及びＸ４が、ニトロであり、
Ｘ８が、水素であり、
Ｙ１及びＹ２が、（ＣＨ２）ｍ−フェニルであり、
Ｙ３が、水素であり、
Ｙ４が、（Ｃ１〜Ｃ４）−アルキルであり、
ｎ及びｍが、１又は２である、
請求項１５〜１７のいずれか一項に記載の染料混合物。
【請求項１９】
少なくとも１種の式（２）の染料を含む、請求項１５〜１８のいずれか一項に記載の染料混合物。
【請求項２０】
少なくとも１種の式（５ａ）の染料を含む、請求項１５〜１８のいずれか一項に記載の染料混合物。
【請求項２１】
少なくとも１種の式（５ｂ）の染料を含む、請求項１５〜１８のいずれか一項に記載の染料混合物。
【請求項２２】
請求項１〜２１のいずれか一項に記載の染料混合物を含む、染色用水溶液。
【請求項２３】
請求項１〜２１のいずれか一項に記載の染料混合物を製造するためのプロセスであって、
ａ）式（１）の染料を、所要量の式（２）、（３）、（４）、（５ａ）及び／又は（５ｂ）の染料と混合する工程、
ｂ）工程ａ）で得られた混合物を均質化する工程
を含む、プロセス。
【請求項２４】
カルボキサミド及び／又はヒドロキシル含有材料を染色又は捺染するためのプロセスであって、前記カルボキサミド及び／又はヒドロキシル含有材料を、請求項１〜２１のいずれか一項に記載の染料混合物、及び／又は請求項２３に記載の水溶液と接触させることを含む、プロセス。
【請求項２５】
請求項１〜２１のいずれか一項に記載の染料混合物を含む、デジタル織物捺染用インク。
【請求項２６】
化学的及び／又は物理的のいずれかで結合された形で請求項１〜２１のいずれか一項に記載の染料混合物を含む、合成繊維材料、ナイロン材料、ナイロン−６、ナイロン−６．６、及びアラミド繊維、植物繊維、種子繊維、綿、有機綿、カポック、ヤシ殻からのコイア；靱皮繊維、亜麻、大麻、ジュート、ケナフ、ラミー、籐；葉繊維、サイザル麻、ヘネケ麻、バナナ；茎繊維、竹；動物由来の繊維、羊毛、オーガニックウール、絹、カシミヤウール、アルパカ繊維、モヘア、アンゴラ繊維、さらには毛皮及び皮革材料；人造、再生、及びリサイクル繊維、セルロース系繊維；紙繊維、セルロース系再生繊維、ビスコースレーヨン繊維、アセテート及びトリアセテート繊維、及びＬｙｏｃｅｌｌ繊維からなる群より選択される繊維及びそのような繊維を含むブレンド物。